(57)【要約】      （修正有）【課題】外出時にもドアガードを積極的に活用して防犯効果を高めることが可能なドアガード駆動装置を提供する。【解決手段】ドアガード駆動装置９は、ドアガード２０と共に玄関扉１の室内側に取り付けられて、ドアガード２０を施錠状態ないしは解錠状態とするものであって、施錠操作を受け付ける施錠操作部１１と、解錠操作を受け付ける解錠操作部１２と、施錠操作から所定時間後にドアガード２０を施錠状態とする施錠機構部１３と、解錠操作から所定時間後にドアガード２０を解錠状態とする解錠機構部１４と、を有する。【選択図】図１
2011117178.tif 000002
【特許請求の範囲】
【請求項１】
ドアガードと共に玄関扉の室内側に取り付けられて、前記ドアガードを施錠状態ないしは解錠状態とするドアガード駆動装置であって、
施錠操作を受け付ける施錠操作部と、
解錠操作を受け付ける解錠操作部と、
前記施錠操作から所定時間後に前記ドアガードを施錠状態とする施錠機構部と、
前記解錠操作から所定時間後に前記ドアガードを解錠状態とする解錠機構部と、
を有することを特徴とするドアガード駆動装置。
【請求項２】
前記解錠操作部は、前記ドアガードが施錠状態とされているときでも、前記玄関扉と壁との隙間から前記解錠操作を受け付けることが可能な位置に設けられていることを特徴とする請求項１に記載のドアガード装置。
【請求項３】
前記解錠操作部で誤った解錠操作が受け付けられたときに警報を発する警報出力部を有することを特徴とする請求項１または請求項２に記載のドアガード駆動装置。
【請求項４】
振動を検出する振動センサと、
前記振動センサで振動が検知されたときに警報を発する警報出力部と、
を有することを特徴とする請求項１または請求項２に記載のドアガード駆動装置。
【請求項５】
前記ドアガードは、前記玄関扉に起倒自在に取り付けられたロック掛具と、前記壁に取り付けられた係止杆と、を有し、前記玄関扉が閉じられた状態で前記ロック掛具が起立され、前記ロック掛具が前記係止杆と係合されることによって、前記玄関扉の開放度合いを小さく制限するものであり、
前記施錠機構部は、前記ロック掛具を起立させるものであり、
前記解錠機構部は、前記ロック掛具を倒伏させるものであることを特徴とする請求項１〜請求項４のいずれかに記載のドアガード駆動装置。
【発明の詳細な説明】
【技術分野】
【０００１】
本発明は、ドアガードと共に玄関扉の室内側に取り付けられて、前記ドアガードを施錠状態ないしは解錠状態とするドアガード駆動装置に関するものである。
【背景技術】
【０００２】
従来より、防犯設備の一つとして、玄関扉に起倒自在に取り付けられたループ状（Ｕ字状）のロック掛具と、壁に取り付けられた係止杆とを有し、玄関扉が閉じられた状態でロック掛具が起立され、ロック掛具が係止杆と係合されることによって、玄関扉の開放度合いを小さく制限するドアガードが広く一般に普及している。
【０００３】
特に、近年では、室内側からの手動操作だけでなく、室外側からの手動操作、または、遠方からの遠隔操作によって、ドアガードを施錠状態（ロック掛具が起立された状態）ないしは解錠状態（ロック掛具が倒伏された状態）とすることが可能な特殊構造を有するドアガードが種々開示・提案されている。
【０００４】
なお、上記に関連する従来技術の一例としては特許文献１〜４を挙げることができる。
【先行技術文献】
【特許文献】
【０００５】
【特許文献１】特開２００２−２２７４８５号公報
【特許文献２】特開２００２−４６６９号公報
【特許文献３】特開平１０−２２７１６４号公報
【特許文献４】特開平８−１２０９９７号公報
【発明の概要】
【発明が解決しようとする課題】
【０００６】
確かに、特許文献１の従来技術であれば、室外側から玄関扉自体の施錠／解錠機構（シリンダ錠など）を操作して玄関扉自体を施錠状態（デッドボルトが玄関扉から突き出された状態）とした上で、さらに、室外側からドアガードの施錠／解錠機構（同じくシリンダ錠など）を操作してドアガードも施錠状態（ロック掛具が起立された状態）とすることができるので、外出時の防犯効果を高めることが可能である。
【０００７】
しかしながら、特許文献１の従来技術では、ドアガードの施錠／解錠機構が室外側に設けられており、かつ、そのセキュリティ性能（ピッキング防止機能など）も玄関扉自体の施錠／解錠機構と同レベルであった。そのため、外出時に室外側からドアガードを施錠状態とすることによって享受できる防犯効果は、玄関扉自体を複数のキーで多重に施錠した場合のそれと大差なかった。
【０００８】
また、特許文献２〜４の従来技術は、いずれも、室内側から施錠状態とされたドアガードを室外側ないしは遠方から解錠状態とするための技術であり、外出時の防犯効果を高める目的や効果はなかった。
【０００９】
また、特許文献１〜４の従来技術は、いずれも、特殊構造を有するドアガード自体の発明であり、広く一般に普及している汎用タイプのドアガードを有効に活用するものではなかった。
【００１０】
本発明は、上記の問題点に鑑み、外出時にもドアガードを積極的に活用して防犯効果を高めることが可能なドアガード駆動装置を提供することを目的とする。
【課題を解決するための手段】
【００１１】
上記の目的を達成するために、本発明に係るドアガード駆動装置は、ドアガードと共に玄関扉の室内側に取り付けられて、前記ドアガードを施錠状態ないしは解錠状態とするドアガード駆動装置であって、施錠操作を受け付ける施錠操作部と、解錠操作を受け付ける解錠操作部と、前記施錠操作から所定時間後に前記ドアガードを施錠状態とする施錠機構部と、前記解錠操作から所定時間後に前記ドアガードを解錠状態とする解錠機構部と、を有する構成（第１の構成）とされている。
【００１２】
なお、上記第１の構成から成るドアガード駆動装置において、前記解錠操作部は、前記ドアガードが施錠状態とされているときでも、前記玄関扉と壁との隙間から前記解錠操作を受け付けることが可能な位置に設けられている構成（第２の構成）にするとよい。
【００１３】
また、上記第１または第２の構成から成るドアガード駆動装置は、前記解錠操作部で誤った解錠操作が受け付けられたときに、警報を発する警報出力部を有する構成（第３の構成）にするとよい。
【００１４】
また、上記第１または第２の構成から成るドアガード駆動装置は、振動を検出する振動センサと、前記振動センサで振動が検知されたときに警報を発する警報出力部と、を有する構成（第４の構成）にするとよい。
【００１５】
また、上記第１〜第４いずれかの構成から成るドアガード駆動装置において、前記ドアガードは、前記玄関扉に起倒自在に取り付けられたロック掛具と、前記壁に取り付けられた係止杆と、を有し、前記玄関扉が閉じられた状態で前記ロック掛具が起立され、前記ロック掛具が前記係止杆と係合されることによって、前記玄関扉の開放度合いを小さく制限するものであり、前記施錠機構部は、前記ロック掛具を起立させるものであり、前記解錠機構部は、前記ロック掛具を倒伏させるものである構成（第５の構成）にするとよい。
【発明の効果】
【００１６】
本発明に係るドアガード駆動装置を設置すれば、外出時にもドアガードを積極的に活用して防犯効果を高めることが可能となる。
【図面の簡単な説明】
【００１７】
【図１】本発明に係るドアガード駆動装置の一設置例を示す模式図（正面図）
【図２】本発明に係るドアガード駆動装置の一設置例を示す模式図（側面図）
【図３】本発明に係るドアガード駆動装置の機能ブロック図
【図４Ａ】一連の施錠動作を説明するための模式図（上面図・その１）
【図４Ｂ】一連の施錠動作を説明するための模式図（上面図・その２）
【図４Ｃ】一連の施錠動作を説明するための模式図（上面図・その３）
【図４Ｄ】一連の施錠動作を説明するための模式図（上面図・その４）
【図４Ｅ】一連の施錠動作を説明するための模式図（上面図・その５）
【図５】玄関扉１が半開き状態とされたときの様子を示す模式図
【図６Ａ】一連の解錠動作を説明するための模式図（上面図・その１）
【図６Ｂ】一連の解錠動作を説明するための模式図（上面図・その２）
【図６Ｃ】一連の解錠動作を説明するための模式図（上面図・その３）
【図６Ｄ】一連の解錠動作を説明するための模式図（上面図・その４）
【発明を実施するための形態】
【００１８】
図１及び図２は、それぞれ、本発明に係るドアガード駆動装置の一設置例を示す模式図である。なお、図１は玄関扉１を室内側から見たときの正面図であり、図２は玄関扉１をその側面から見たときの側面図である。また、図３は、本発明に係るドアガード駆動装置の機能ブロック図である。以下では、これらの図面を参照しながら、本発明に係るドアガード駆動装置の構成について説明する。
【００１９】
玄関扉１の室内側には、内側ノブ２やサムターン３が設けられており、玄関扉１の屋外側には、外側ノブ４やキー差込口５が設けられている。内側ノブ２は、室内から屋外へ出るときに玄関扉１を開閉するための取っ手である。サムターン３は、玄関扉１を室内側から施錠ないし解錠するための内錠である。外側ノブ４は、屋外から室内へ入るときに玄関扉１を開閉するための取っ手である。キー差込口５は、キーを用いて玄関扉１を屋外側から施錠ないし解錠するための外錠である。なお、玄関扉１が施錠状態とされているときには、玄関扉１の側面に設けられたデッドボルト６が玄関扉１から壁８の凹部（不図示）に突出されるので、玄関扉１を開くことが不可能となる。一方、玄関扉１が解錠状態とされているときには、デッドボルト６が壁８の凹部（不図示）から引き抜かれるので、玄関扉回転軸７を中心として、玄関扉１を屋外側に開くことが可能となる。
【００２０】
また、玄関扉１の室内側には、ドアガード２０と共に、ドアガード駆動装置９が取り付けられている。
【００２１】
ドアガード２０は、玄関扉１に起倒自在に取り付けられたループ状（Ｕ字状）のロック掛具２１と、壁８に取り付けられた係止杆２２とを有し、玄関扉１が閉じられた状態でロック掛具２１が起立され、ロック掛具２１が係止杆２２と係合されることによって、玄関扉１の開放度合いを小さく制限する防犯設備である。
【００２２】
ドアガード駆動装置９は、ドアガード２０を施錠状態（ロック掛具２１が起立された状態）ないし解錠状態（ロック掛具２１が倒伏された状態）とする手段であって、本体１０のほか、これに外部接続される警報出力部３０と振動センサ４０を有する。
【００２３】
本体１０は、施錠操作部１１と、解錠操作部１２と、施錠機構部１３と、解錠機構部１４と、振動センサ１５と、振動判定部１６と、駆動部１７と、制御部１８と、電池収納部１９と、を有する。なお、本体１０は、両面テープ、接着剤、ネジ、磁石、吸盤などを用いて、玄関扉１の室内側に取り付ければよい。
【００２４】
施錠操作部１１は、ユーザによるドアガード２０の施錠操作を受け付ける手段である。なお、施錠操作部１１としては、施錠操作専用ボタンなどを用いればよい。このような構成であれば、非常に平易な操作（ボタンの押下）によってドアガード２０の施錠操作を行うことが可能となる。
【００２５】
解錠操作部１２は、ユーザによるドアガード２０の解錠操作を受け付ける手段である。なお、解錠操作部１２としては、暗証コード入力キーや指紋認証センサを用いればよい。また、ここで重要なことは、解錠操作部１２が玄関扉１の屋外側ではなく、玄関扉１の室内側であって、かつ、ドアガード２０が施錠状態とされているときでも、玄関扉１と壁８との隙間から解錠操作を受け付けることが可能な位置（本構成例では、本体１０の側面）に設けられているという点である。このような構成であれば、解錠操作部１２を玄関扉１の屋外側に設けた構成と比べて、解錠操作部１２を隠蔽した形となる。
【００２６】
施錠機構部１３は、ユーザの施錠操作から所定時間後にロック掛具２１を起立させることで、ドアガード２０を施錠状態とするものである。なお、施錠機構部１３の構成及び動作については、後ほど詳細に説明する。
【００２７】
解錠機構部１４は、ユーザの解錠操作から所定時間後にロック掛具２１を倒伏させることで、ドアガード２０を解錠状態とするものである。なお、解錠機構部１４の構成及び動作については、後ほど詳細に説明する。
【００２８】
振動センサ１５は、本体１０に内蔵されて振動を検出する手段であり、例えば、互いに直交する３軸方向（高さ方向、幅方向、奥行き方向）の加速度を各々検出する加速度センサなどを好適に用いることができる。
【００２９】
振動判定部１６は、本体１０に内蔵される振動センサ１５と、本体１０に外部接続される振動センサ４０の少なくとも一で振動を検知したか否かの判定を行い、その判定結果を制御部１８に出力する構成とされている。このような構成とすることにより、ドアガード駆動装置９（特に、本体１０）やドアガード２０の不正操作に伴う振動を検出して、適切な対抗措置（警報出力動作や通報動作など）を発動することができるので、セキュリティ能力を高めることができる。一方、振動判定部１６は、複数の振動センサで同時に振動が検知された場合や、少なくとも一の振動センサで所定期間に亘って継続的に振動が検知された場合にのみ、不正操作に伴う振動が生じていると判定する構成としてもよい。このような構成とすることにより、振動の誤検知を低減して、不要な警報出力動作を控えることが可能となる。
【００３０】
駆動部１７は、制御部１８からの指示に基づいて、警報出力部３０の駆動制御（警報出力の可否制御）を行う。
【００３１】
制御部１８は、本体１０を構成する各部１１〜１９を統括的に制御する手段であり、ＣＰＵ［Central Processing Unit］やＤＳＰ［Digital Signal Processor］などの演算手段のほかに、ＲＯＭ［Read Only Memory］やＲＡＭ［Random Access Memory］などの記憶手段（いずれも不図示）を有する。なお、上記のＲＯＭは、ＣＰＵによって実行されるプログラムなどの格納領域として使用される。また、上記のＲＡＭは、ＣＰＵの作業領域として使用される。ただし、上記のＲＯＭやＲＡＭは、制御部１８に内蔵することなく、別途独立して設けても構わない。また、制御部１８には、ユーザの施錠操作が行われてから実際に施錠機構部１３を用いてドアガード２０を施錠状態とするまでの待機時間、及び、ユーザの解錠操作が行われてから実際に解錠機構部１４を用いてドアガード２０を解錠状態とするまでの待機時間を計測するためのタイマ１８ａが内蔵されている。
【００３２】
電池収納部１９は、本体１０の内部に電池を収納するためのスペースである。電池収納部１９に収納された電池は、本体１０の各部に電力供給を行う主電源として用いられる。ただし、装置外部からの電力供給ラインを確保することが可能である場合、平常時には装置外部から電力供給を行い、非常時（停電時や電力供給ラインの切断時など）にのみ、電池収納部１９に収納された電池を補助電源として用いることも可能である。なお、電池としては、アルカリ乾電池などの一次電池を用いてもよいし、或いは、リチウムイオン電池などの二次電池を用いてもよい。また、電池収納部１９は、ドアガード２０が施錠状態とされているときでも、玄関扉１と壁８との隙間から電池の交換作業を行うことが可能な位置（本構成例では、本体１０の側面）に設けられている。このような構成とすることにより、外出中の電池切れにも対応することができる。
【００３３】
警報出力部３０は、玄関扉１の屋外側に取り付けられ、本体１０からの制御信号に応じて玄関前の不審者に対する威嚇や玄関付近の人間（隣人や警備員など）に対する異常報知を目的とした警報を出力する手段であり、出力体３１と、支持部材３２と、配線３３と、可動部材３４と、弾性部材３５と、を有する。なお、本体１０から上記の警報を出力するように指示されるケースとしては、解錠操作部１２で誤った解錠操作（暗証コードの入力ＮＧや指紋の認証ＮＧ）が複数回受け付けられた場合や、或いは、振動センサ１５、４０で振動が検知された場合などが考えられる。
【００３４】
出力体３１は、警報を出力するデバイス本体であり、スピーカ、ブザー、ランプ、フラッシュなどを用いることができる。すなわち、上記の警報としては、スピーカやブザーから大音量の警報音や威嚇メッセージ（犯行を警察に通報した旨のメッセージなど）を出力したり、警告灯やフラッシュを発光したりすればよい。
【００３５】
支持部材３２は、出力体３１を玄関扉１の屋外側に取り付けるためのアタッチメントであり、玄関扉１の上端部分に懸架可能な形状（３面を有するコの字形状）とされている。支持部材３２の第１面は、玄関扉１の屋外側に露出される部分であり、出力体３１が取り付けられている。支持部材３２の第２面は、支持部材３２の第１面と第３面を連結する部分であり、玄関扉１の上端部分と壁８との間に存在する僅かな隙間よりも薄く加工されている。支持部材３２の第３面は、玄関扉１の室内側に露出される部分であり、弾性部材３５を介して可動部材３４が取り付けられている。
【００３６】
配線３３は、玄関扉１の上端部分と壁８との間に存在する僅かな隙間を介して、本体１０と出力体３１とを電気的に接続するための導電ラインである。
【００３７】
可動部材３４は、自身と支持部材３２（第２面）との間で玄関扉１を挟持するための部材であり、弾性部材３５によって玄関扉１側に付勢されている。このような可動部材３４を有する構成であれば、厚みの異なる玄関扉１にも柔軟に対応することが可能となる。
【００３８】
弾性部材３５は、支持部材３２の第３面と可動部材３４との間に設けられて、可動部材３４を玄関扉１側に付勢する部材である。なお、弾性部材３５としては、図２に示したように、バネなどを用いればよい。
【００３９】
振動センサ４０は、本体１０に外付けされて振動を検出する手段であり、本体１０に内蔵される振動センサ１５と同様、例えば、互いに直交する３軸方向（高さ方向、幅方向、奥行き方向）の加速度を各々検出する加速度センサなどを好適に用いることができる。なお、振動センサ４０は、ドアガード２０の不正操作に伴う振動を検知し易いように、ドアガード２０の近傍に設けることが望ましい。
【００４０】
次に、上記構成から成るドアガード駆動装置９によるドアガード２０の施錠動作について、図４Ａ〜図４Ｅを参照しながら詳細に説明する。図４Ａ〜図４Ｅは、それぞれ、一連の施錠動作を説明するための模式図（玄関扉１を天井側から見たときの上面図）である。
【００４１】
図４Ａ〜図４Ｅから分かる通り、ドアガード２０のロック掛具２１は、玄関扉１に固設された固定金具２１ａにより、ロック掛具２１の端部（開放端部）に設けられたロック掛具回転軸２１ｂを中心として回転自在に支持されている。本構成例について具体的に述べると、ロック掛具２１は、玄関扉１を天井側から見た場合に、ロック掛具回転軸２１ｂを中心として円弧を描くように回転駆動される。
【００４２】
施錠機構部１３は、ロック掛具２１と玄関扉１との隙間に挿入されたロック板１３ａを有している。ロック板１３ａは、その端部に設けられたロック板回転軸１３ｂを中心として回転自在に支持されている。本構成例について具体的に述べると、ロック板１３ａは、玄関扉１を天井側から見た場合に、ロック板回転軸１３ｂを中心として円弧を描くように回転駆動される。なお、ロック板１３ａの回転駆動手段としては、直流モータやステッピングモータを用いればよい。また、施錠機構部１３の設計に際しては、ロック板１３ａの回転駆動によってロック掛具２１を起立状態とすることが可能であって、かつ、ロック板１３ａがドアガード２０の係止杆２２と干渉しないように、ロック板１３ａの長さ（回転半径）やロック板回転軸１３ｂの配設位置（回転中心位置）を適宜調整すればよい。
【００４３】
解錠機構部１４は、ロック掛具２１の先端部（封鎖端部）に結びつけられたワイヤ１４ａと、これを巻き取るリール１４ｂを有している。なお、リール１４ｂは、倒伏状態とされたロック掛具２１の先端部（封鎖端部）近傍に固設されている。また、リール１４ｂのの回転駆動手段としては、直流モータやステッピングモータを用いればよい。
【００４４】
上記構成から成るドアガード駆動装置９を用いて、外出時にドアガード２０を施錠状態とする場合には、まず、図４Ａに示す状態（玄関扉１が閉じられており、かつ、ロック掛具２１が倒伏されている状態）で、施錠操作部１１による所定の施錠操作（例えば、施錠操作ボタンの押下）を行い、その後、速やかに玄関扉１を開いて屋外に出ればよい。その際、玄関扉１の屋外側からキーで玄関扉１自体の施錠を行うことも当然に可能である。
【００４５】
制御部１８は、タイマ１８ａの出力を監視し、上記の施錠操作から所定の待機時間（数十秒から数分）が経過した時点で、施錠機構部１３にドアガード２０の施錠を行うように指示を送る。この指示を受けた施錠機構部１３は、玄関扉１を天井側から見た場合に、ロック板回転軸１３ｂを中心として時計回りに円弧を描くように、ロック板１３ａを回転駆動させる。その結果、ドアガード２０のロック掛具２１も、ロック板１３ａに押される形で、ロック掛具回転軸２１ｂを中心として時計回りに円弧を描くように回転駆動され、最終的には、壁８に設けられた係止杆２２と係合する起立状態とされる（図４Ａ〜図４Ｄを順次参照）。なお、施錠操作部１１で所定の施錠操作が受け付けられてから、実際に施錠機構部１３が駆動を開始するまでの待機時間については、任意に調整が可能な構成にしておくことが望ましい。
【００４６】
その後、施錠機構部１３は、先とは逆の方向、すなわち、玄関扉１を天井側から見た場合に、ロック板回転軸１３ｂを中心として反時計回りに円弧を描くように、ロック板１３ａを回転駆動させる。これにより、ロック板１３ａが元の倒伏状態に戻され、一連の施錠動作が完了される（図４Ｅを参照）。このように、ロック掛具２１を起立状態とした後、速やかにロック板１３ａを元の倒伏状態に戻しておく構成であれば、ドアガード２０の解錠に際して、遅滞なくロック掛具２１の倒伏動作を開始することができるので、ドアガード２０の解錠に要する時間（すなわち、帰宅したユーザが玄関扉１から入室可能となるまでの所要時間）を短縮することが可能となる。
【００４７】
ただし、ロック板１３ａを元の倒伏状態に戻すタイミングについては、上記に限定されるものではなく、解錠操作部１２で正規の解錠操作を受け付けてから、ロック板１３ａを元の倒伏状態に戻す構成としても構わない。このような構成とすることにより、何らかの不正手段によってロック掛具２１の倒伏が試みられた場合であっても、起立状態のロック板１３ａが干渉して、ロック掛具２１の倒伏が阻害されるので、ドアガード２０の不正な解錠を防止することが可能となる。
【００４８】
また、解錠操作部１２で正規の解錠操作を受け付けてから、ロック板１３ａを元の倒伏状態に戻す構成を採用する場合には、ロック板１３ａの倒伏が完了してからロック掛具２１の倒伏を開始するのではなく、ロック板１３ａとロック掛具２１との相互干渉を避けつつ、両者の倒伏動作をほぼ同時に実行する方が望ましい。具体的な手法としては、ロック板１３ａをロック掛具２１よりも少しだけ早めに倒伏させてやればよい。このような構成とすることにより、ドアガード２０の解錠に際して、ロック板１３ａとロック掛具２１をほぼ同時に元の倒伏状態に戻すことができるので、ドアガード２０の解錠に要する時間を不要に長引かせずに済む。
【００４９】
図５は、ドアガード２０が施錠状態とされており、玄関扉１が半開き状態とされたときの様子を示す模式図である。なお、図５は、先出の図４Ａ〜図４Ｅと同様、玄関扉１を天井側から見たときの上面図である。本図に示した通り、ドアガード２０が施錠状態とされている場合には、ロック掛具２１が係止杆２２が係合されることによって、玄関扉１の開放度合いが小さく制限されるので、万一、玄関扉１自体がピッキング等によって解錠された場合でも、不審者の室内進入を物理的に防止することができる。また、ドアガード２０が施錠状態となっていることにより、不審者にとっては、在室と不在の区別が付かなくなるため、室内への不正進入を躊躇させて、犯罪を未然に防止することも可能となる。
【００５０】
次に、上記構成から成るドアガード駆動装置９によるドアガード２０の解錠動作について、先出の図５と、図６Ａ〜図６Ｄを参照しながら詳細に説明する。図６Ａ〜図６Ｄは、それぞれ、一連の解錠動作を説明するための模式図である。なお、図６Ａ〜図６Ｄは、いずれも、先出の図４Ａ〜図４Ｅと同様、玄関扉１を天井側から見たときの上面図である。
【００５１】
上記構成から成るドアガード駆動装置９を用いて、帰宅時にドアガード２０を解錠状態とする場合には、まず、玄関扉１を半開きとした状態（図５を参照）で、解錠操作部１２による所定の解錠操作（例えば、暗証コードの入力や指紋の認証）を行い、その後、速やかに玄関扉１を閉じればよい。
【００５２】
制御部１８は、タイマ１８ａの出力を監視し、上記の解錠操作から所定の待機時間（数秒〜数十秒）が経過した時点で、解錠機構部１４にドアガード２０の解錠を行うように指示を送る。この指示を受けた解錠機構部１４は、ロック掛具２１の先端部（封鎖端部）に結びつけられたワイヤ１４ａを巻き取るように、リール１４ｂを回転駆動させる。その結果、ドアガード２０のロック掛具２１は、ワイヤ１４ａに引かれる形で、ロック掛具回転軸２１ｂを中心として反時計回りに円弧を描くように回転駆動され、最終的には、元の倒伏状態に戻されて、玄関扉１からの入室が可能となる（図６Ａ〜図６Ｄを順次参照）。なお、解錠操作部１２で所定の解錠操作が受け付けられてから、実際に解錠機構部１４が駆動を開始するまでの待機時間については、任意に調整が可能な構成にしておくとよい。
【００５３】
上記したように、本発明に係るドアガード駆動装置９であれば、施錠操作部１１と解錠操作部１２がいずれも玄関扉１の室内側に設けられているため、不正入室を試みる不審者にとっては、ドアガード２０があたかも室内側から施錠されたように見える。従って、玄関扉１の室内側に設けられている解錠操作部１２の存在を不審者に悟られない限り、玄関扉１の屋外側からドアガード２０の不正解錠が試みられるおそれは低いので、玄関扉自体を複数のキーで多重に施錠した場合よりも、高い防犯効果を享受することが可能となる。
【００５４】
また、万一、解錠操作部１２の存在を不審者に悟られてしまい、ドアガード２０の不正解状が試みられた場合でも、本発明に係るドアガード駆動装置９であれば、警報出力部３０から玄関前の不審者に対する威嚇や玄関付近の人間（隣人や警備員など）に対する異常報知を目的とした警報を出力することができるので、不審者による室内進入を防止することが可能となる。
【００５５】
また、本発明に係るドアガード駆動装置９であれば、広く一般に普及している汎用タイプのドアガード２０を有効に活用することが可能となる。
【００５６】
なお、本発明の構成は、上記実施形態のほか、発明の主旨を逸脱しない範囲で種々の変更を加えることが可能である。すなわち、上記実施形態は、全ての点で例示であって、制限的なものではないと考えられるべきであり、本発明の技術的範囲は、上記実施形態の説明ではなく、特許請求の範囲によって示されるものであり、特許請求の範囲と均等の意味及び範囲内に属する全ての変更が含まれると理解されるべきである。
【００５７】
例えば、上記実施形態では、不審者による不正行為への対抗措置として、警報出力部３０で警報出力を行う構成を例に挙げて説明を行ったが、本発明の構成はこれに限定されるものではなく、カメラで玄関前の様子を撮影したり、或いは、警察や警備会社への通報を行う構成としても構わない。
【００５８】
また、上記実施形態では、ドアガード駆動装置９を玄関扉１に後付けする構成を例に挙げて説明を行ったが、本発明の構成はこれに限定されるものではなく、玄関扉１自体の機能として、ドアガード駆動装置９を組み込んでも構わない。
【産業上の利用可能性】
【００５９】
本発明は、自宅やオフィスのセキュリティ機能を高める上で有用な技術である。
【符号の説明】
【００６０】
１    玄関扉
２    内側ノブ
３    サムターン
４    外側ノブ
５    キー差込口
６    デッドボルト
７    玄関扉回転軸
８    壁
９    ドアガード駆動装置
１０    本体
１１    施錠操作部
１２    解錠操作部
１３    施錠機構部
１３ａ    ロック板
１３ｂ    ロック板回転軸
１４    解錠機構部
１４ａ    ワイヤ
１４ｂ    リール
１５    振動センサ（内蔵型）
１６    振動判定部
１７    駆動部
１８    制御部
１８ａ    タイマ
１９    電池収納部
２０    ドアガード
２１    ロック掛具
２１ａ    固定金具
２１ｂ    ロック掛具回転軸
２２    係止杆
３０    警報出力部
３１    出力体（スピーカ、ブザー、ランプ、フラッシュなど）
３２    支持部材
３３    配線
３４    可動部材
３５    弾性部材
４０    振動センサ（外付型）
【図１】
2011117178.tif 000003
【図２】
2011117178.tif 000004
【図３】
2011117178.tif 000005
【図４Ａ】
2011117178.tif 000006
【図４Ｂ】
2011117178.tif 000007
【図４Ｃ】
2011117178.tif 000008
【図４Ｄ】
2011117178.tif 000009
【図４Ｅ】
2011117178.tif 000010
【図５】
2011117178.tif 000011
【図６Ａ】
2011117178.tif 000012
【図６Ｂ】
2011117178.tif 000013
【図６Ｃ】
2011117178.tif 000014
【図６Ｄ】
2011117178.tif 000015